(57)【要約】【課題】画像読取部のみの移動と、画像読取部の移動に連動させた画像形成部の開放、を切換可能な画像形成装置を得る。【解決手段】引出操作部５０を手前側に引き出すと、押圧突起５３によりロック部材６０の被押圧部６１が押され、軸部６３を中心に回転して、フック６２と係合突部６２との係合が解除される。この状態で、原稿読取部１２の手前側を持ち上げると、原稿読取部１２が開放されると共に、カバー部材４０も、ねじりコイルバネ４９Ｂにより押されて、中間軸部４９を中心に手前側が上方へ向かう方向へ回転し、原稿読取部１２と共に開放される。【選択図】図７
2009300930.tif 000002
【特許請求の範囲】
【請求項１】
記録媒体に画像を形成する画像形成部と、
前記画像形成部の上部に前記画像形成部から排出された記録媒体を受ける受空間を構成しつつ前記画像形成部の上側を覆う通常位置と、一端辺に沿った回転軸を中心に回転して前記受空間を開放する開放位置と、の間を移動可能とされた画像読取部と、
前記画像読取部の一端辺に沿ったカバー回転軸を中心に回転して前記画像形成部の上部を開閉可能とされたカバー部材と、
前記画像読取部の前記開放位置への移動に伴って前記カバー部材を開放させる複数開放位置と、前記画像読取部のみを前記開放位置へ移動させる単独開放位置と、の間を移動可能とされた切換操作部材と、
を備えた画像形成装置。
【請求項２】
前記切換操作部材は、非操作時には前記単独開放位置に配置され、ユーザーによる操作によって前記複数開放位置へ配置されること、を特徴とする請求項１に記載の画像形成装置。
【請求項３】
前記切換操作部材は、前記カバー部材を開放する方向へ付勢する付勢部材と、前記カバー部材の前記開放する方向への移動を規制する規制部材と、前記規制部材による規制を解除する解除部材と、含んで構成されていること、を特徴とする請求項２に記載の画像形成装置。
【請求項４】
前記切換操作部材は、ユーザーによって操作される操作部を備え、この操作部が前記画像読取部に設けられていること、を特徴とする請求項１〜３のいずれか１項に記載の画像形成装置。
【請求項５】
前記画像読取部と前記カバー部材との間に、さらに前記画像形成部から排出された記録媒体が載せられる排出トレイを備えたこと、を特徴とする請求項１〜４のいずれか１項に記載の画像形成装置。
【請求項６】
前記カバー部材には、手前側の一部に切欠きが構成されていること、を特徴とする請求項５に記載の画像形成装置。
【発明の詳細な説明】
【技術分野】
【０００１】
本発明は、画像読取部を備えた画像形成装置に関する。
【背景技術】
【０００２】
画像形成装置（プリンタ）に、フラットベッド構成の画像読取装置（スキャナ）を一体化させた、ＭＦＰ（Multi Function Printer）、ＡＩＯ（All In One）と呼ばれるものがある。このような画像形成装置では、画像読取装置によって読み取られた原稿の画像データに基づいて画像形成部で記録媒体に画像が形成される。
【０００３】
ところで、このような画像形成装置で、電子写真方式を利用したものについて、感光体に作用するプロセス手段を一体的にカートリッジ化して、このカートリッジを装置本体に着脱可能とするプロセスカートリッジ方式が採用されていることがある。この場合には、プロセスカートリッジを着脱するために、画像形成部の筐体を開放する必要がある。例えば、特許文献１には、画像読取部の動作に連動して開閉部材の開閉が行われる構成が開示されている。
【０００４】
【特許文献１】特開２００５−１８９５５１
【発明の開示】
【発明が解決しようとする課題】
【０００５】
本発明は、画像読取部のみの移動と、画像読取部の移動に連動させた画像形成部の開放、を切換可能な画像形成装置を得ることを目的とする。
【課題を解決するための手段】
【０００６】
本発明の請求項１に係る画像形成装置は、記録媒体に画像を形成する画像形成部と、前記画像形成部の上部に前記画像形成部から排出された記録媒体を受ける受空間を構成しつつ前記画像形成部の上側を覆う通常位置と、一端辺に沿った回転軸を中心に回転して前記受空間を開放する開放位置と、の間を移動可能とされた画像読取部と、前記画像読取部の一端辺に沿ったカバー回転軸を中心に回転して前記画像形成部の上部を開閉可能とされたカバー部材と、前記画像読取部の前記開放位置への移動に伴って前記カバー部材を開放させる複数開放位置と、前記画像読取部のみを前記開放位置へ移動させる単独開放位置と、の間を移動可能とされた切換操作部材と、を備えている。
【０００７】
本発明の請求項２に係る画像形成装置は、前記切換操作部材が、非操作時には前記単独開放位置に配置され、ユーザーによる操作によって前記複数開放位置へ配置されること、を特徴としている。
【０００８】
本発明の請求項３に係る画像形成装置は、前記切換操作部材は、前記カバー部材を開放する方向へ付勢する付勢部材と、前記カバー部材の前記開放する方向への移動を規制する規制部材と、前記規制部材による規制を解除する解除部材と、含んで構成されていること、を特徴としている。
【０００９】
本発明の請求項４に係る画像形成装置は、前記切換操作部材が、ユーザーによって操作される操作部を備え、この操作部が前記画像読取部に設けられていること、を特徴としている。
【００１０】
本発明の請求項５に係る画像形成装置は、前記画像読取部と前記カバー部材との間に、さらに前記画像形成部からによって画像から排出された記録媒体が載せられる排出トレイを備えたこと、を特徴としている。
【００１１】
本発明の請求項６に係る画像形成装置は、前記カバー部材の、手前側の一部に切欠きが構成されていること、を特徴としている。
【発明の効果】
【００１２】
請求項１の発明では、切換操作部材が単独開放位置に配置されているときには、画像読取部のみを開放位置へ移動させることができ、切換操作部材が複数開放位置に配置されているときには、画像読取部の開放位置への移動に連動させてカバー部材も開放させることができる。
【００１３】
請求項２の発明では、ユーザーによる操作によって切換操作部材が複数開放位置へ配置され、画像読取部の開放位置への移動に連動させてカバー部材も開放させることができる。
【００１４】
請求項３の発明では、付勢部材によってカバー部材が開放する方向へ付勢されているので、解除部材によって規制部材による規制が解除されることにより、カバー部材が画像読取部の移動に連動した開放が可能となる。
【００１５】
請求項４の発明では、ユーザーによって操作される操作部が画像読取部に設けられているので、画像読取部を保持した状態で切換操作部材を操作することができる。
【００１６】
請求項５の発明では、画像読取部を開放位置へ移動させることにより、排出トレイ上に排出された記録媒体を容易に取り出すことができる。
【００１７】
請求項６の発明では、カバー部材の上に排出された記録媒体を容易に取り出すことができる。
【発明を実施するための最良の形態】
【００１８】
［第１実施形態］
【００１９】
本発明の画像形成装置の実施形態を図面に基づき説明する。
【００２０】
図１〜図４には、本実施形態に係る画像形成装置１０が示されている。画像形成装置１０は、原稿を読み取る原稿読取部１２と、原稿読取部１２の下部に配置された本体部１４とを有している。本体部１４では、原稿読取部１２で読み取られた画像データに基づいて記録用紙Ｓへの画像形成が行われる。
【００２１】
本体部１４は、本体下部に配設された給紙トレイ２６と、給紙トレイ２６の上部に配置され画像形成を行う画像形成部３０とを有している。本体部１４の側部は、側部筐体１４Ａで構成されている。
【００２２】
原稿読取部１２には、ユーザーが原稿読取、或いは複写指示等を入力操作するための表示部（パネル）２３及びスタートボタン２５を含む操作部（テンキー、スタートボタン等）を備えた操作パネルユニット２４が配設されている。また、原稿読取部１２上には、当該原稿読取部１２の開閉蓋を兼用する原稿搬送部１６が設けられている。
【００２３】
原稿搬送部１６には、複写しようとする原稿を（複数枚の場合は重ねて）載せるフィーダートレイ１８が設けられている。また、フィーダートレイ１８の下方には、フィーダートレイ１８から送り込まれて読み取られた原稿が排出される排紙トレイ２０が設けられている。
【００２４】
図４に示すように、原稿読取部１２は、底面奥側に配置された上部取付部材３８によって、本体部１４に取り付けられている。原稿読取部１２は、上部取付部材３８の軸部材３９を中心に回転可能に保持されている。原稿読取部１２は、底面が略水平方向に配置され画像形成部３０の上側を覆う閉鎖位置Ｐ１と、図５に示すように、画像形成部３０から離れる方向へ移動して後述する受空間Ｒ１を開放する開放位置Ｐ２との間を移動可能とされている。
【００２５】
なお、本実施形態では、便宜上、操作パネルユニット２４の配置された側を画像形成装置１０の手前側、その逆側を奥側という。そして、手前−奥の方向をＸ方向とし、このＸ方向と直交する方向をＹ方向とする。
【００２６】
図２及び図４に示すように、原稿読取部１２の底面側には、引出操作部５０が設けられている。引出操作部５０は、操作把手５１、連結部５２、押圧突起５３を含んで構成されている。操作把手５１は、原稿読取部１２の底面手前中央部に配置され、Ｙ方向に長尺とされて原稿読取部１２の底面から下側に突出されている。押圧突起５３は、原稿読取部１２の底面のＹ方向両端部に１個ずつ、Ｘ方向中央からやや奥側に配置されている。各々の押圧突起５３は、棒状とされ、原稿読取部１２の底面から下側に突出されている。連結部５２は、１方の押圧突起５３から原稿読取部１２の底面手前側へ延出され、Ｙ方向に沿うように屈曲されて逆側端部付近まで延び、さらにＸ方向に沿うように屈曲されて他方の押圧突起５３へ連結されている。操作把手５１は、連結部５２のＹ方向に沿って配置された部分の中央部に連結されている。引出操作部５０は、不図示のガイドに沿って、全体がＸ方向にスライド可能とされている。連結部５２の各々の奥側端部には、引張りばね５４の一端が固定されている。引張りばね５４の他端は、原稿読取部１２の奥側に固定されている。引張りばね５４により、引出操作部５０は、Ｘ方向の奥側に向かう方向へ付勢されている。非操作時には、図４に示すように、引出操作部５０は、押圧突起５３が奥側に配置される単数開放位置Ｑ１に配置されている。ユーザーが、操作把手５１を手前側へ引き出すことにより、図７に示すように、引出操作部５０は、押圧突起５３が手前側へ移動して、後述するロック部材６０を押圧する複数開放位置Ｐ２に配置される。
【００２７】
図４に示すように、画像形成部３０には、露光装置３２、及び、画像形成ユニット３４が設けられている。
【００２８】
露光装置３２は、原稿読取部１２で読み取られた画像情報に基づいて、図示しない光源から出射された光ビームを回転多面鏡（ポリゴンミラー）で走査し、反射ミラー等の複数の光学部品で反射して、イエロー（Ｙ）、マゼンタ（Ｍ）、シアン（Ｃ）、及び ブラック（Ｋ）の各トナーに対応した光ビームを出射するようになっている。各色の光ビームは、それぞれ対応する各感光体ドラムに導かれる。
【００２９】
画像形成ユニット３４は、感光体ドラム、帯電ローラ、クリーナー、中間転写体ロール、転写ロール、現像器などを含んで構成されている。
【００３０】
画像形成部３０の下方側には、前述の給紙トレイ２６が配設されており、給紙トレイ２６の上方には、記録用紙Ｓの先端部位置を調整する一対のレジストロール２７が設けられている。
【００３１】
記録用紙Ｓが搬送される用紙搬送路Ｗの下流には、定着装置３６が設けられている。定着装置３６は、定着ロール３６Ａと加圧ロール３６Ｂを有しており、記録用紙Ｓを加熱・加圧してトナー像を記録用紙Ｓに定着させる。
【００３２】
画像形成が開始されると、各感光体ドラムの表面が帯電ローラによって一様に帯電される。露光装置３２から出力画像に対応した光ビームが、帯電後の感光体ドラムの表面に照射され、静電潜像が形成される。この静電潜像に対して、現像器がトナーを付与し、感光体ドラム上にトナー像が形成される。その後、中間転写体ロール、転写ロールを経て、トナー画像が記録用紙Ｓに転写される。記録用紙Ｓは、その後、定着装置３６に送られ、トナー像が記録用紙Ｓに定着される。定着後、記録用紙Ｓは後述するカバー部材４０上へ排出される。
【００３３】
画像形成部３０の上部は、カバー部材４０で覆われている。図２に示すように、カバー部材４０は、トレイ部４２、把手部４３、段差プレート４４、奥部プレート４６、及び、側部プレート４８を備えている。
【００３４】
奥部プレート４６は、画像形成部３０の奥側で原稿読取部１２の底面と接することが可能な位置に配置されている。段差プレート４４は、上側の一端辺が奥部プレート４６と連続され、奥部プレート４６の手前側から下方へ向かって奥部プレート４６と略直交するように配置されている。段差プレート４４には、Ｙ方向に長尺の排出口４４Ａが構成されている。排出口４４Ａからは、トナー像が定着された記録用紙Ｓが排出される。
【００３５】
トレイ部４２は、段差プレート４４の下端辺と連続され、Ｘ方向手前側に向かって配置されている。トレイ部４２の上面は、排出口４４Ａから排出された記録用紙Ｓの受面とされている。トレイ部４２の上面と原稿読取部１２の底面との間に受空間Ｒ１が構成されている。
【００３６】
側部プレート４８は、カバー部材４０のＹ方向両端に、側部筐体１４Ａの内面と対向するように配置されている。側部プレート４８の上端辺は、Ｙ方向中央側へわずかに屈曲され、奥部プレート４６の上面と面一となる側部上面４８Ａが構成されている。
【００３７】
把手部４３は、トレイ部４２の手前端辺から下側へ向かって配置されている。把手部４３の前面側（手前面側）には、凹部４３Ａが構成されている。凹部４３Ａは、ユーザーのための把手として機能する。
【００３８】
カバー部材４０は、奥部プレート４６の奥側端辺に沿った中間軸部４９に回転可能に取り付けられている。中間軸部４９は、軸部材３９と平行に配置されている。中間軸部４９には、ねじりコイルばね４９Ａが取り付けられている。ねじりコイルばね４９Ａは、一端が奥部プレート４６の手前側に固定され、他端が本体部１４の背面側筺体に固定されている。原稿読取部１２が閉鎖位置Ｐ１に配置されているときには、ねじりコイルばね４９Ａは弾性変形され、カバー部材４０は、受空間Ｒ１が開放される方向、すなわち、原稿読取部１２が開放位置Ｐ２へ向かう方向と同方向に付勢されている。
【００３９】
側部プレート４８の略中央部には、ロック部材６０が取り付けられている。ロック部材６０は、側部プレート４８に軸部６３を中心に回転可能に取り付けられている。
【００４０】
ロック部材６０は、図４に示すように、一端側に被押圧部６１、他端側にフック６２を備えている。被押圧部６１は、図５に示すように、側部プレート４８を貫通し、押圧突起５３の先端が接触可能な位置に配置されている。フック６２は、側部プレート４８の外側に配置され、先端部が鉤状とされている。
【００４１】
本体部１４の側部筐体１４Ａには、ロック部材６０の先端付近に対応する位置の各々に、係合突部６４が形成されている。非操作状態（原稿読取部１２が閉鎖位置Ｐ１に配置され、ユーザーにより引出操作部５０が操作さていない状態）では、フック６２が係合突部６４に係合されている。これにより、カバー部材４０は上方への移動が規制され、開放が不能な状態とされている。
【００４２】
次に、本実施形態の作用について説明する。
【００４３】
原稿読取部１２のみを開放する場合には、引出操作部５０を操作せずに、単数開放位置Ｑ１に配置したままの状態で原稿読取部１２の手前側を持ち上げる。すると、図２及び図６に示すように、原稿読取部１２が軸部材３９を中心に回転して開放位置Ｐ２に至り、受空間Ｒ１が開放される。この状態で、ユーザーは、カバー部材４０上に排出された記録用紙Ｓを、容易に取り出すことができる。
【００４４】
原稿読取部１２、及び、カバー部材４０の両方を開放する場合には、まず、引出操作部５０を手前側に引き出す。これにより、図７に示すように、引出操作部５０が複数開放位置Ｑ２に移動され、押圧突起５３によりロック部材６０の被押圧部６１が押され、ロック部材６０が軸部６３を中心に回転して、フック６２と係合突部６４との係合が解除される。この状態で、原稿読取部１２の手前側を持ち上げると、原稿読取部１２が前述の場合と同様にして開放されると共に、カバー部材４０も、ねじりコイルバネ４９Ｂにより押されて、中間軸部４９を中心に手前側が上方へ向かう方向へ回転し、原稿読取部１２と共に開放される（図８、９参照）。これにより、一操作で画像形成部３０の内部が開放され、画像形成ユニット３４が露出される。この状態で、ユーザーは、画像形成ユニット３４の交換を行うことができる。
【００４５】
［第２実施形態］
【００４６】
次に第２実施形態について説明する。本実施形態では、第１実施形態と同様の構成部分については同一の符号を付して、その詳細な説明は省略する。
【００４７】
本実施形態の画像形成装置７０は、図１０及び図１１に示すように、原稿読取部１２とカバー部材４０の間に、排出トレイ７１を備えている。排出トレイ７１は、図１１に示すように、受部７２、段差板７４、上板７６、及び、側板７８を備えている。
【００４８】
上板７６は、Ｙ方向の両端部に奥部プレート４６と面一になるように配置されている。段差板７４は、上辺のＹ方向の両端部が上板７６と連続され、上板７６の手前側から下方へ向かって上板７６及び奥部プレート４６と略直交するように配置されている。段差プレート４４には、段差板７４に対応する位置に段差板７４を収容可能な切欠き（不図示）が構成されている。また、奥部プレート４６の手前中央上面には、凹部４６Ａが構成されている。段差板７４の上端部には、奥部プレート４６の凹部４６Ａに嵌め込まれるストッパ７４Ｂが形成されている。段差板７４には、Ｙ方向に長尺の排出口７４Ａが構成されている。段差プレート４４には、排出口７４Ａに対応する位置に排出口４４Ｂが構成されている（図１５参照）。排出トレイ７１上には、排出口７４Ａを介してトナー像が定着された記録用紙Ｓが排出される。
【００４９】
なお、本実施形態では、定着装置３６の下流側で用紙搬送路ＷがＷ１とＷ２に分岐され、用紙搬送路Ｗ１が排出口４４Ａに至り、用紙搬送路Ｗ２が排出口４４Ｂ、７６Ａへ至っている。
【００５０】
受部７２は、段差板７４の下端辺と連続され、第１実施形態の受空間Ｒ１の中間部に受空間Ｒ１を仕切るように配置されている。受部７２と原稿読取部１２の底面との間に上受空間Ｒ２が構成され、受部７２とトレイ部４２の上面との間に下受空間Ｒ３が構成されている。上受空間Ｒ２には、排出口４４Ｂ、７６Ａから排出された記録用紙Ｓが配置され、下受空間Ｒ３には、排出口４４Ａから排出された記録用紙Ｓが配置される。
【００５１】
図１２に示すように、側板７８は、受部７２のＹ方向両端に、側部プレート４８の内側（側部プレート４８が互いに対向している側）と対向するように配置されている。側板７８の外側面（側部プレート４８と対向する側）には、後述する引掛部５３Ａと係合される突部７９が設けられている。
【００５２】
排出トレイ７１は、上板７６の奥側で、中間軸部４９に、中間軸部４９を中心として回転可能に取り付けられている。排出トレイ７１は、ストッパ７４Ｂが奥部プレート４６に当てられることによって下方向への回転が規制され、図１１に示す受位置Ｐ３に配置されている。
【００５３】
引出操作部５０の押圧突起５３の先端部には、引掛部５３Ａが形成されている。図１２に示すように、引掛部５３Ａは、押圧突起５３から側板７８側へ突出する形状とされ、原稿読取部１２が閉鎖位置Ｐ１に配置されているときに突部７９の下側を引掛け可能な高さ位置に配置されている。
【００５４】
次に、本実施形態の作用について説明する。
【００５５】
原稿読取部１２のみを開放する場合には、図１１に示すように、引出操作部５０を操作せずに単数開放位置Ｑ１に配置したままの状態で原稿読取部１２の手前側を持ち上げる。すると、図１３に示すように、原稿読取部１２が軸部材３９を中心に回転し、上受空間Ｒ２が開放される。これにより、排出トレイ７１上に排出された記録用紙Ｓを、容易に取り出すことができる。
【００５６】
原稿読取部１２、及び、排出トレイ７１を開放する場合には、まず、図１４に示すように、引出操作部５０を手前側に引き出し、引掛部５３Ａが突部７９の下側に配置される中間位置Ｑ３まで移動させる。この状態で、原稿読取部１２の手前側を持ち上げると、図１５に示すように、原稿読取部１２が前述の場合と同様にして開放されると共に、引掛部５３Ａにより突部７９が引き上げられ、排出トレイ７１は、中間軸部４９を中心に手前側が上方へ向かう方向へ回転し、原稿読取部１２と共に開放される。これにより、カバー部材４０上に排出された記録用紙Ｓを、容易に取り出すことができる。
【００５７】
原稿読取部１２、排出トレイ７１、及び、カバー部材４０のすべてを開放する場合には、まず、図１６に示すように、引出操作部５０を手前側に引き出し、複数開放位置Ｑ２へ配置する。ここでの引出操作部５０の引き出しは、引掛部５３Ａが突部７９の下側を通過して、押圧突起５３によりロック部材６０の被押圧部６１が押され、軸部６３を中心に回転して、フック６２と係合突部６２との係合が解除される位置まで行う。
【００５８】
この状態（フック６２と係合突部６４との係合が解除された状態）で、原稿読取部１２の手前側を持ち上げると、図１７に示すように、原稿読取部１２が前述の場合と同様にして開放されると共に、カバー部材４０も、ねじりコイルバネ４９Ｂにより押されて、中間軸部４９を中心に手前側が上方へ向かう方向へ回転し、原稿読取部１２と共に開放される。このとき、排出トレイ７１は、ストッパ７４Ｂが奥部プレート４６に押されて、カバー部材４０と共に開放される。これにより、一操作で画像形成部３０の内部が開放されて、画像形成ユニット３４が露出される。この状態で、ユーザーは、画像形成ユニット３４の交換を行うことができる。
【００５９】
なお、上記第１実施形態、第２実施形態のカバー部材４０には、図１８に示すように、手前側中央上面に、切欠部４５を構成することもできる。切欠部４５を構成することにより、カバー部材４０上に排出された記録用紙Ｓを容易につかみ取ることができる。
【００６０】
また、上記第１実施形態、第２実施形態では、カバー部材４０を開放することにより、画像形成ユニット３４が露出される構成としているが、図１９に示すように、画像形成ユニット３４を覆うインナーカバー５５を設ける構成とすることもできる。
【００６１】
また、上記第１実施形態、第２実施形態のカバー部材４０を、図２０に示すように、カバー部材４０の下面側に、画像形成ユニット３４を保持する保持枠３５を取り付けて、カバー部材４０の上方への移動により、保持枠３５と共に画像形成ユニット３４を上方へ引き上げる構成とすることもできる。これにより、画像形成部３０の内部の開放と共に画像形成ユニット３４が持ち上げられ、容易に画像形成ユニット３４の交換を行うことができる。
【図面の簡単な説明】
【００６２】
【図１】第１実施形態の画像形成装置の斜視図である。
【図２】第１実施形態の画像形成装置で原稿読取部が開放された状態の斜視図である。
【図３】第１実施形態の画像形成装置で原稿読取部及びカバー部材が開放された状態の斜視図である。
【図４】第１実施形態の画像形成装置の側面一部破断図である。
【図５】第１実施形態の画像形成装置のロック部材付近を正面側からみた断面図である。
【図６】第１実施形態の画像形成装置の原稿読取部が開放された状態の側面一部破断図である。
【図７】第１実施形態の画像形成装置の引出操作部が引き出された状態の側面一部破断図である。
【図８】第１実施形態の画像形成装置の原稿読取部及びカバー部材が開放された状態の側面図である。
【図９】第１実施形態の画像形成装置の原稿読取部及びカバー部材が図６に示す状態からさらに開放された状態の側面図である。
【図１０】第２実施形態の画像形成装置の斜視図である。
【図１１】第２実施形態の画像形成装置の側面一部破断図である。
【図１２】第２実施形態の画像形成装置のロック部材付近を正面側からみた断面図である。
【図１３】第２実施形態の画像形成装置の原稿読取部が開放された状態の側面一部破断図である。
【図１４】第２実施形態の画像形成装置の引出操作部が引き出された状態を示す側面一部破断図である。
【図１５】第２実施形態の画像形成装置の原稿読取部及び排出トレイが開放された状態を示す側面一部破図である。
【図１６】第２実施形態の画像形成装置の引出操作部が図１４よりさらに引き出された状態の側面一部破断図である。
【図１７】第２実施形態の画像形成装置の原稿読取部、排出トレイ、及びカバー部材が開放された状態を示す側面図である。
【図１８】第１実施形態の画像形成装置のカバー部材の変形例を示す斜視図である。
【図１９】第１実施形態の画像形成装置にインナーカバーを設けた例を示す斜視図である。
【図２０】第１実施形態の画像形成装置のカバー部材に保持枠を設けた例を示す斜視図である。
【符号の説明】
【００６３】
１０   画像形成装置
１２   原稿読取部
３４   画像形成ユニット
３９   軸部材
４０   カバー部材
４５   切欠部
４９Ｂ ねじりコイルバネ
４９   中間軸部
５０   引出操作部
５１   操作把手
６０   ロック部材
６１   被押圧部
７０   画像形成装置
７１   排出トレイ
Ｐ１   閉鎖位置
Ｐ２   開放位置
Ｑ１  単数開放位置
Ｑ２  複数開放位置
Ｑ３  中間位置
Ｒ１   受空間
Ｒ２   上受空間
Ｒ３   下受空間
Ｓ     記録用紙
【図１】
2009300930.tif 000003
【図２】
2009300930.tif 000004
【図３】
2009300930.tif 000005
【図４】
2009300930.tif 000006
【図５】
2009300930.tif 000007
【図６】
2009300930.tif 000008
【図７】
2009300930.tif 000009
【図８】
2009300930.tif 000010
【図９】
2009300930.tif 000011
【図１０】
2009300930.tif 000012
【図１１】
2009300930.tif 000013
【図１２】
2009300930.tif 000014
【図１３】
2009300930.tif 000015
【図１４】
2009300930.tif 000016
【図１５】
2009300930.tif 000017
【図１６】
2009300930.tif 000018
【図１７】
2009300930.tif 000019
【図１８】
2009300930.tif 000020
【図１９】
2009300930.tif 000021
【図２０】
2009300930.tif 000022